(57)【要約】【課題】連写撮影が可能な撮影装置に於いて、不必要なメモリの消費を不要として、適切なタイミングのマルチ画面を表示することのできる撮影装置及び撮像方法を提供することである。【解決手段】撮像素子２２によって被写体２５の像が撮像され、該撮像素子２５からの画像信号は順次ＲＡＭ１９に記録される。そして、所定期間の撮影操作を検出するスイッチの操作と、時計部１４で測定される撮影時間に従って、上記ＲＡＭ１９に記録された画像信号から、所定のタイミングを起点として所定間隔の画像のみが選択される。この選択された画像が、メモリ２０に記録される。そして、このメモリ２０に記録される画像は、表示部２１にマルチ画像として表示される。【選択図】      図１
2007142565.tif 000002
【特許請求の範囲】
【請求項１】
連続撮影が可能な撮像装置であって、
被写体像を撮像して画像信号を生成する撮像手段と、
上記画像信号に応じて画像データを生成する画像処理手段と、
上記画像データを順次第１のメモリに記録する第１の記録手段と、
撮影時間を測定する計時手段と、
上記撮影時間を略等間隔に分割する分割手段と、
上記第１のメモリに記録された画像データのうち、上記分割された時間位置に対応する画像データを選択する画像選択手段と、
上記選択された画像データを表示する表示手段と、
を具備することを特徴とする撮像装置。
【請求項２】
上記画像選択手段で選択された画像データに係るデータを記録する第２の記録手段を更に具備することを特徴とする請求項１に記載の撮像装置。
【請求項３】
上記撮影時間の撮影開始時間位置を変更する時間位置変更手段を更に具備し、
上記画像選択手段により、上記変更後の撮影時間を略等間隔に分割された時間位置に対応する画像データを再度選択することを特徴とする請求項１に記載の撮像装置。
【請求項４】
上記分割手段は、上記撮影時間を所定の画像数で略等間隔になるように分割されることを特徴とする請求項１に記載の撮像装置。
【請求項５】
上記計時手段による計時の開始を、上記略等間隔に分割された時間よりも短い時間間隔で変更可能になされたことを特徴とする請求項１に記載の撮像装置。
【請求項６】
撮影画像より顔の位置を検出する顔検出手段を更に具備し、
上記分割手段は、上記撮影時間間隔を略等間隔に分割するに際して、上記顔検出手段で顔位置が所定の位置にあるときの画像を分割位置として選択することを特徴とする請求項１に記載の撮像装置。
【請求項７】
連続撮影が可能な撮像装置の撮像方法であって、
被写体像を撮像して画像信号を生成する第１のステップと、
上記第１のステップにより生成された画像信号に応じて画像データを生成する第２のステップと、
上記第２のステップにより生成された画像データを順次第１のメモリに記録する第３のステップと、
撮影時間を測定する第４のステップと、
上記第４のステップで測定された上記撮影時間を略等間隔に分割する第５のステップと、
上記第１のメモリに記録された画像データのうち、上記分割された時間位置に対応する画像データを選択する第６のステップと、
上記第６のステップにより選択された画像データを表示する第７のステップと、
を具備することを特徴とする撮像装置の撮像方法。
【発明の詳細な説明】
【技術分野】
【０００１】
本発明は連続撮影可能な撮像装置及びその撮像方法の改良に関する。
【背景技術】
【０００２】
一般に、連続撮影が可能なカメラに於いては、レリーズ釦を押している間はシャッタを切り続けて、その間に撮影された画像は全て個別の画像として記録される。そして、この記録された画像は、カメラに搭載された表示装置に表示されて、ユーザにより確認が可能である。
【０００３】
そして、本件出願人は、例えば下記特許文献１によって、複数の静止画像を同画面上に並べて表示するマルチ画面表示機能を搭載したカメラについて出願を行っている。これは、例えば、撮影していた期間を分割して得られた区画の中から適当な区画を選んで等間隔表示するものであった。
【０００４】
上述したマルチ画面表示機能を有したカメラでは、例えば、図９（ａ）に示されるように、撮影されたコマ１ａ〜１ｇの順に、一旦外部メモリに記録される。そして、一度メモリに記録された画像を再生モードで読み出して加工し、図９（ｂ）に示されるようなマルチ画面表示が行われるようになっている。
【特許文献１】特開２００１−８６４０５号公報
【発明の開示】
【発明が解決しようとする課題】
【０００５】
しかしながら、上述した特許文献１に記載のカメラでは、連写のスピードが速くなればなるほど記録される画像の枚数が増えるため、メモリの容量を多く使ってしまう。そのため、すぐに容量オーバとなって、次の撮影ができなくなってしまう虞れがあった。また、外部メモリから表示装置に画像を読み出す際に時間を要する等、本当に必要とするコマを探すのが困難なものであった。
【０００６】
したがって本発明は上記課題に鑑みてなされたものであり、その目的は、連写撮影が可能なカメラに於いて、不必要なメモリの消費を不要として、適切なタイミングのマルチ画面を表示することのできる撮像装置及びその撮像方法を提供することである。
【課題を解決するための手段】
【０００７】
すなわち請求項１に記載の発明は、連続撮影が可能な撮像装置であって、被写体像を撮像して画像信号を生成する撮像手段と、上記画像信号に応じて画像データを生成する画像処理手段と、上記画像データを順次第１のメモリに記録する第１の記録手段と、撮影時間を測定する計時手段と、上記撮影時間を略等間隔に分割する分割手段と、上記第１のメモリに記録された画像データのうち、上記分割された時間位置に対応する画像データを選択する画像選択手段と、上記選択された画像データを表示する表示手段と、を具備することを特徴とする。
【０００８】
請求項２に記載の発明は、請求項１に記載の発明に於いて、上記画像選択手段で選択された画像データに係るデータを記録する第２の記録手段を更に具備することを特徴とする。
【０００９】
請求項３に記載の発明は、請求項１に記載の発明に於いて、上記撮影時間の撮影開始時間位置を変更する時間位置変更手段を更に具備し、上記画像選択手段により、上記変更後の撮影時間を略等間隔に分割された時間位置に対応する画像データを再度選択することを特徴とする。
【００１０】
請求項４に記載の発明に於いて、請求項１に記載の発明に於いて、上記分割手段は、上記撮影時間を所定の画像数で略等間隔になるように分割されることを特徴とする。
【００１１】
請求項５に記載の発明は、請求項１に記載の発明に於いて、上記計時手段による計時の開始を、上記略等間隔に分割された時間よりも短い時間間隔で変更可能になされたことを特徴とする。
【００１２】
請求項６に記載の発明は、請求項１に記載の発明に於いて、撮影画像より顔の位置を検出する顔検出手段を更に具備し、上記分割手段は、上記撮影時間間隔を略等間隔に分割するに際して、上記顔検出手段で顔位置が所定の位置にあるときの画像を分割位置として選択することを特徴とする。
【００１３】
請求項７に記載の発明は、連続撮影が可能な撮像装置の撮像方法であって、被写体像を撮像して画像信号を生成する第１のステップと、上記第１のステップにより生成された画像信号に応じて画像データを生成する第２のステップと、上記第２のステップにより生成された画像データを順次第１のメモリに記録する第３のステップと、撮影時間を測定する第４のステップと、上記第４のステップで測定された上記撮影時間を略等間隔に分割する第５のステップと、上記第１のメモリに記録された画像データのうち、上記分割された時間位置に対応する画像データを選択する第６のステップと、上記第６のステップにより選択された画像データを表示する第７のステップと、を具備することを特徴とする。
【発明の効果】
【００１４】
本発明によれば、連写撮影が可能なカメラに於いて、不必要なメモリの消費を不要として、適切なタイミングのマルチ画面を表示することのできる撮像装置及びその撮像方法を提供することができる。
【発明を実施するための最良の形態】
【００１５】
以下、図面を参照して、本発明の実施形態を説明する。
【００１６】
図１は、本発明の一実施形態に係るカメラの基本構成を示すブロック図である。このカメラは、メインＣＰＵ（以下、ＭＰＵと記す）１１と、複数のスイッチ１１ａ、１１ｂ、１１ｃと、画像処理部１２と、撮影位置検出部１３と、時計部１４と、ＲＯＭ１５と、アナログフロントエンド部（ＡＦＥ）１８と、ＲＡＭ１９と、メモリ２０と、表示部２１と、撮像素子２２と、撮影レンズ２３とを有して構成される。
【００１７】
図１に於いて、ＭＰＵ１１はマイクロコントローラー等から構成されるもので、ユーザによる各種の操作をスイッチ１１ａ、１１ｂ、１１ｃの状態によって検出する。ＭＰＵ１１は、分割手段及び時間位置変更手段としての機能をも有している。更に、ＭＰＵ１１は、上記スイッチ１１ａ、１１ｂ、１１ｃの検出結果とＲＯＭ１５内に記憶されているプログラムに従って、後述する各ブロックをシーケンシャルに制御して、撮影や再生のシーケンスを実行する。尚、スイッチ１１ａ〜１１ｃは、電源のオン、オフを行う電源スイッチ（１１ａ）や、レリーズスイッチ（１１ｂ）、後述する撮影と再生やその他のモード切り替え用のスイッチ（１１ｃ）として、ユーザの操作を入力するものである。
【００１８】
上記ＭＰＵ１１には、画像処理手段である画像処理部１２と、撮影位置検出部１３と、時計部１４と、ＲＯＭ１５とが接続されている。上記画像処理部１２では、色補正や信号圧縮等の処理が行われる。また、画像処理部１２の内部には、画像処理時の補正を変更するための切り替えブロック１２ａを有している。
【００１９】
上記撮影位置検出部１３は、衛星を用いたグローバルポジショニングシステム（ＧＰＳ）等により、撮影位置を検出して記録可能としたものである。また、計時手段である時計部１４は、撮影の日時を記録できるようにする他、露出の時間を計時したり、所定のタイミングの間隔を測定したりする時に利用されるものである。更に、ＲＯＭ１５は、本カメラのＭＰＵ１１が実行する種々のプログラムや、本カメラに関する各種調整値が記憶されている。
【００２０】
上記画像処理部１２には、また、アナログフロントエンド部１８と、ＲＡＭ１９と、メモリ２０と、表示部２１とが接続されている。また、アナログフロントエンド部１８には、撮影時に、撮影レンズ２３から入射された被写体２５の像を結像する撮像素子２２が接続されている。この撮像素子２２は、ＣＣＤやＣＭＯＳセンサ等により構成される撮像手段であり、上記被写体の像を光電変換して画像信号にするものである。
【００２１】
上記アナログフロントエンド部１８では、変換された画像信号の読み出しやＡ／Ｄ変換が行われる。そして、このアナログフロントエンド部１８で変換されたデジタル画像信号は、画像処理部１２に入力される。そして、画像処理部１２にて種々の画像処理が施され画像データを生成する。そして、この画像データを第２の記録手段である着脱自在のメモリ２０に記録される。ここで、メモリ２０に記録される画像データは、カメラの設定に応じて適当なデータ量に圧縮されて記録される。本発明の特徴となる合成されたマルチ画面も、最終形態はこのメモリ２０に格納される。この時、種々の演算を行うために、第１の記録手段であるＲＡＭ１９に適宜データが格納される。本発明では、動画（連写）の結果も、先ずここに格納される。
【００２２】
表示手段である表示部２１は、ＬＣＤ等から構成される。そして、構図決定は、この表示部２１によって撮像素子２２からの信号を逐次再生して表示することによって、被写体２５の状態を確認して行われる。尚、後述するマルチ画面選択も表示部２１を見て行うものである。また、再生表示は、ユーザのスイッチ１１ｃの操作に従って、メモリ２０内の画像データを読み出して画像処理部１２で表示データにし、表示部２１に表示することによって行われる。
【００２３】
このような構成に於いて、ユーザがスイッチ１１ａ〜１１ｃを操作すると、その状態がＭＰＵ１１によって検出され、ＲＯＭ１５に記憶されているプログラムに従って、各ブロックがシーケンシャルに制御されて、撮影や再生のシーケンスが実行される。
【００２４】
撮影時には、撮影レンズ２３から入射した被写体２５の像が、撮像素子２２によって取り込まれて電気信号に変換され、アナログフロントエンド部１８を介してデジタル画像信号が画像処理部１２に入力される。そして、この画像処理部１２にて色補正や画像圧縮等の処理が行われると、その結果のデータがメモリ２０に記録されて撮影が終了する。
【００２５】
本発明の一実施形態によれば、複数の画像を連続して撮影する連写撮影をして記録しておきながら、それによって得られた膨大な画像データの中（例えば、秒３０コマでとると、５秒で１５０枚もの画像データが生成される）から、適当な画像のみを選択して最良の画像を得るための技術である。この技術は、例えば、図２（ａ）や（ｂ）に示されるように、１つの画面３０内にいくつかの連写撮影の結果を表示（マルチ画面表示）して、例えばピアニストの動きや、表情の変化を写真として残す時に用いられる。
【００２６】
ここで、図３（ａ）に示されるように、被写体３２であるピアニストをメインにした画像３１ａを構成しようとしたとする。しかしながら、例えば、ピアニストが激しく動いていると、図３（ａ）に示されるような画像をメインに構成したくとも、図３（ｂ）に示される画像３１ｂのように、顔３２ａがピアノ３３のスタンド３３ａに隠れて見えなくなってしまったり、図３（ｃ）に示される画像３１ｃのように、被写体３２の顔３２ａが横を向いてしまったりすることがある。
【００２７】
このように、被写体３２を最良の位置で撮影するようなタイミングを選択することは、従来困難なものであった。
【００２８】
これに対し、本実施形態では、単に連続した画像を撮影するのではなく、最も適切なタイミングの画像を含む連写画像の保存を可能としている。
【００２９】
つまり、図４（ａ）に示されるように、連続撮影したもの（コマ４０ａ〜４０ｌ）のうち、画像Ａ、Ｂ、Ｃ、Ｄの４つのコマ４０ａ、４０ｄ、４０ｇ、４０ｋについて表示部２１に分割表示した場合に、想定したタイミングでの画像が得られなかったとする。この場合は、ユーザの操作に従ってタイミングをシフトして、図４（ｂ）に示されるような４つのコマを分割表示するようにしている。すなわち、画像Ａ′Ｂ′、Ｃ′、Ｄ′の４つのコマ４０ｂ、４０ｅ、４０ｈ、４０ｌが、表示部２１に表示されるようになっている。
【００３０】
次に、図５のフローチャートを参照して、このカメラの動作について説明する。尚、このカメラの動作は、主にＭＰＵ１１の制御によって行われる。
【００３１】
本シーケンスが開始されると、先ずステップＳ１に於いて、カメラの設定モードが判定される。ここで、ユーザがカメラを操作して再生モードにされた場合は、ステップＳ２３に移行して、直前に撮影されて記録された画像が表示部２１に表示される。そして、ステップＳ２４にてユーザが別の画像を見たいか否かが判断される。ここで、別の画像を見る場合は、ステップＳ２５に移行して表示画像が切り替えられた後、上記ステップＳ２４に移行する。また、上記ステップＳ２４で切り替えを必要としない場合は、ステップＳ２６に移行して当該画像が表示部２１に表示される。
【００３２】
その後、ステップＳ２７にて表示処理の終了が判断される。ここで、表示を終了しない場合は上記ステップＳ２４に移行し、表示を終了する場合は本シーケンスが終了する。
【００３３】
一方、上記ステップＳ１に於いて、再生モード以外が選択された場合は、ステップＳ２に移行してレリーズスイッチの状態が判断される。ここで、レリーズスイッチがオンされていなければ、後述するステップＳ１７に移行する。これに対して、レリーズスイッチがオンされていたならば、ステップＳ３以降の撮影モードに移行する。
【００３４】
この撮影モードは連続撮影を前提としており、それに先立ってステップＳ３にて、撮影時間の計時をするために、時計部１４によりタイマカウントが開始される。次いで、ステップＳ４にて連続撮影が開始される。この撮影結果は、ステップＳ５にて、順次、ＲＡＭ１９に記録される。
【００３５】
ここで、ステップＳ６に於いて、上記ステップＳ３で開始されたタイマカウントの結果がＴとされて、予め定められたカウント値ＴMAX と比較される。このＴMAX は、長秒時（コマ数が大の時）側のリミッタを表す値であり、連続撮影が行われてＲＡＭ１９の容量が一杯になる時の値である。したがって、リミッタ値ＴMAX はＲＡＭ１９の容量に応じたコマ数により調整可能である。また、このリミッタ値ＴMAX は可変、固定の何れであってもよい。
【００３６】
そして、このステップＳ６に於いて、タイマカウント値Ｔがリミッタ値ＴMAX に達していない場合はステップＳ１０に移行して、上記ステップＳ２にてオンされたレリーズスイッチの状態が再び判断される。ここで、レリーズスイッチがオンのままであれば、まだ連続撮影が行われるため、上記ステップＳ４に移行して以降の処理動作が繰り返される。また、上記ステップＳ１０にてレリーズスイッチがオフ（連写終了）になったならば、ステップＳ１１に移行してＴの値がタイマ結果として求められる。
【００３７】
一方、上記ステップＳ６に於いて、タイマカウント値Ｔがリミッタ値ＴMAX に達した場合はステップＳ７へ移行する。これは、連続撮影を行っている間にＲＡＭ１９の容量が一杯になった場合である。したがって、この場合は、ステップＳ７に移行して強制的にレリーズ終了処理が実行される。次いで、ステップＳ８にてレリーズ終了の旨が表示部２１等に告知され、更にステップＳ９にて、リミッタ値ＴMAX がタイマ結果Ｔとされる。
【００３８】
すなわち、ステップＳ６にてＲＡＭ１９の容量が一杯になるか、ステップＳ１０にてレリーズスイッチがオフにされるまで、連続撮影の動作が実行される。
【００３９】
そして、ステップＳ１２に於いて、表示部２１の画面分割の判断が行われる。ここで、図２（ａ）に示されるような４分割の画面が選択されたならば、ステップＳ１３へ移行し、図２（ｂ）に示されるような９分割の画面が選択されたならば、ステップＳ１４へ移行する。これらの分割表示の切り替え操作は、ユーザの設定に従って行われる。
【００４０】
ステップＳ１３では、上記カウント値Ｔを４分割したタイミングで得られた写真が、表示部２１に表示される（図２（ａ）参照）。また、ステップＳ１４では、上記カウント値Ｔを９分割したタイミングで得られた写真が、表示部２１に表示される（図２（ｂ）参照）。
【００４１】
その後、ステップＳ１５に於いて、ＲＡＭ１９の記憶容量が判断される。ここで、ＲＡＭ１９が画像で一杯になっている場合は、ステップＳ１６に移行して、ユーザに対して表示部２１への表示等により警告が行われる。これに対して、ＲＡＭ１９の記憶容量に余裕がある場合は、まだ連写が可能な状態であるので、上記ステップＳ２に移行して以降の処理動作が繰り返される。
【００４２】
上記ステップＳ１６の警告が行われた後、または上記ステップＳ２にてレリーズ操作が行われない場合は、ステップＳ１７に移行して未処理データの有無が判断される。これは、ＲＡＭ１９内にあって、まだメモリ２０に記録されていない他の連続撮影された画像データがあるか否かの判断である。この結果、全ての連続撮影された画像データに対応した画像データのメモリ２０への記録がされ、未処理データが無ければ、上記ステップＳ２へ移行して以降の処理動作が繰り返される。一方、未処理データが有る場合は、ステップＳ１８に移行して、連写により得られた写真が、図２（ａ）または（ｂ）のような形式で表示部２１に表示される。
【００４３】
そして、上記ステップＳ１８にて表示された写真が、ユーザの気に入る結果が含まれているか否かがステップＳ１９に於いて判断される。この判断は、スイッチ１１ｃ等の切り替え制御によって行われる。ここで、気に入る写真が含まれていない場合は、ステップＳ２０へ移行してタイミングシフトが行われる。その後、上記ステップＳ１８に移行して再度連写により得られた写真が表示部２１に表示される。
【００４４】
例えば、ステップＳ１８で最初に表示された写真が、図４（ａ）のコマ４０ａ、４０ｄ、４０ｇ、４０ｋの画像Ａ、Ｂ、Ｃ、Ｄであった場合は、図４（ｃ）のように画面３０に表示される。そして、ステップＳ２０にてタイミングシフトが行われると、２回目のステップＳ１８で表示される写真は、図４（ｂ）のコマ４０ｂ、４０ｅ、４０ｈ、４０ｌの画像Ａ′、Ｂ′、Ｃ′、Ｄ′が、図４（ｄ）のように画面３０に表示される。つまり、この場合は、図４（ａ）に示される画像Ａ、Ｂ、Ｃ、Ｄから１コマずつシフトして、図４（ｂ）に示される画像Ａ′、Ｂ′、Ｃ′、Ｄ′が表示されることになる。これによって、最適なタイミングの画像を含んだ連続写真を得ることができる。
【００４５】
但し、画面３０に表示される写真に最終コマが含まれる場合は、例えば、表示可能なコマの画像のみ表示するようにしてもよいし、或いは、上述したタイミングとは関係なく、最終コマと同時に、最終コマの１つ前のコマ、２つ前のコマ、…を順次表示していくようにしてもよい。
【００４６】
尚、ここでは４分割表示を例としているが、９分割やそれ以上の分割の場合も同様である。
【００４７】
このようにして、ステップＳ１９にてユーザの気に入る写真が有ると判断されるまで、タイミングがシフトされた画像が表示されるようになっている。
【００４８】
そして、ステップＳ１９に於いて、ユーザの気に入る写真が有ると判断された場合は、ステップＳ２１に移行する。その結果、つまり画面３０に分割表示された写真の画像データが、画像処理部１２にて圧縮されてメモリ２０に記録される。これによって、例えば電池がカメラから抜かれても記憶されている画像データとすることができる。そして、ステップＳ２２にて、記録された画像データに関する連続撮影された画像データがＲＡＭ１９より消去され、上記ステップＳ１７に移行する。ステップＳ１７に移行したときに未処理データが無い場合は、ステップＳ２へ移行して次の連写撮影に備えるようになる。
【００４９】
尚、連続撮影に於いて、短秒時（ＲＡＭ１９に記録されたコマ数が表示画面の分割数より小の時）の場合、例えばコマ数が画面表示の分割数だけの場合は、その数分だけ表示するようにする。また、画面表示の分割数に不足する場合は、得られたコマ数分を表示するようにする。更に、これらに限られずにステップＳ１３及びＳ１４で処理されるタイミング（Ｔ／４、Ｔ／９）に従って表示するようにしてもよい。
【００５０】
また、近年、画像を分析して、人の顔の位置を判定する技術が広く知られている。これは、人の目や鼻の影の形などによって、所定のパターンのものを画像内で検出する技術である。こうした顔画像検出の技術を利用すれば、例えば、図６（ａ）に示されるように、画面３０内に検出枠４５を設け、この位置に、被写体となる人の顔が収まった時の写真を連写結果から選択することが可能となる。例えば、図６（ｂ）に示されるように、検出枠４５内に被写体３２であるピアニストの顔３２ａが収まっている。この顔検出は、画像処理部１２内に顔検出手段である顔検出部１２ｂを設けることにより実行される。
【００５１】
つまり、図７（ａ）に示されるように、連写結果や所定の間隔（ここでは３コマ毎）で選択された画像（コマ５０ａ、５０ｄ、５０ｇ、５０α）を、従来は図２（ａ）のように単純に並べて表示することしか簡単にはできないものであった。しかしながら、本実施形態によれば、図７（ｂ）のように検出された顔画像のコマ（５０ｅ）が先ず選択され、続いて、図７（ｃ）のように、その選択されたコマ５０ｅの前後の画像（コマ５０ｃ、５０ｇ）が選択されて、よりユーザの好みの構図を優先したマルチ画面表示が可能となる。
【００５２】
これによって、最適なタイミングの画像と、その動きを感じさせる前後の画像からなるマルチ画面表示が可能となる。
【００５３】
図８は、この顔画像検出により画像選択を行う動作を説明するフローチャートである。尚、この画像選択の動作は、主にＭＰＵ１１の制御によって行われる。
【００５４】
本シーケンスが開始されると、先ず、ステップＳ３１にて、図７（ｂ）に示されるように、顔画像が検出され、続くステップＳ３２に於いて、その検出されたコマ（所定位置に）について顔画像が得られたか否か検索されて判定される。
【００５５】
ここで、顔画像の検索に成功した場合は、ステップＳ３３に移行して、上記ステップＳ３１にて検出されたコマより時間軸上で前及び後に位置するコマが選択（図７（ｃ）参照）される。その後、ステップＳ３５に移行して、図２（ａ）、（ｂ）に示されるようなマルチ画面が構成されて表示される。
【００５６】
一方、上記ステップＳ３２にて顔画像の検索に失敗した場合は、ステップＳ３４に移行して、図７（ａ）に示されるような等分割された画像が選択される。そして、ステップＳ３５に移行して、タイミングが等分割された画像によるマルチ画面が構成されて表示される。
【００５７】
これによって、図５のフローチャートに於けるステップＳ２０のタイミングシフトのような操作をユーザが行わなくとも、カメラ側で先ず顔画像を検出し、続いて、検出された顔画像を含む前後の画像を表示するので、自動的に効果的なマルチ画面を選定することができる。
【００５８】
このように、本実施形態によれば、連写の間隔や、表示コマ数に変化を持たせ、最適のタイミングでの画像を記録可能としながら、尚かつ、不必要なメモリ消費を不要とすることができる。
【００５９】
尚、表示部２１に表示されるマルチ画面表示は、４分割、或いは９分割についてのみ説明したが、これに限られるものではないことは勿論である。また、検出された顔画像のコマ（５０ｅ）に続いて選択するコマは、前後に限らなくてもよい。
【００６０】
上述したように、本実施形態によれば、最適のタイミングで画像を記録可能とし、ユーザが記録して残しておきたいコマの画像と、その前後の画像を、適切なマルチ画面にて表示することが可能なカメラを提供することができる。これによって、ユーザは撮影に専念することができ、必要以上のメモリを消費することなく、次々に新しい画像撮影に集中することが可能となる。
【００６１】
以上、本発明の実施形態について説明したが、本発明は上述した実施形態以外にも、本発明の要旨を逸脱しない範囲で種々の変形実施が可能である。
【００６２】
尚、この発明の上記実施態様によれば、以下の如き構成を得ることができる。
【００６３】
すなわち、
（１）  連写機能を有するカメラに於いて、
撮影画像内の顔の位置を検出する顔検出手段と、
上記顔の位置が所定位置になった時の画像を検索する検索手段と、
上記連写結果より、上記検索された画像と、その前後の画像を表示するマルチ画面表示手段と、
を具備することを特徴とするカメラ。
【００６４】
（２）  連続撮影機能を有するカメラに於いて、
撮影画像内の顔の位置を検出する顔検出手段と、
連続撮影された画像の中から上記顔検出手段で顔が検出された画像を検索する検索手段と、
上記検索手段で検索された画像と、該検索された画像の前後の画像を選択する選択手段と、
上記選択手段で選択された複数の画像を表示する表示手段と、
を具備することを特徴とするカメラ。
【図面の簡単な説明】
【００６５】
【図１】本発明の一実施形態に係るカメラの基本構成を示すブロック図である。
【図２】マルチ下面表示の例を示すもので、（ａ）は４分割の画面の例を示した図、（ｂ）９分割の画面の例を示した図である。
【図３】被写体の動きについて説明するための図である。
【図４】連続撮影自のタイミングシフトについて説明するための図である。
【図５】本発明の一実施形態にかかるカメラの動作について説明するためのフローチャートである。
【図６】被写体の顔画像検出の例について説明するための図である。
【図７】顔画像検出の技術を利用した場合のマルチ画面表示について説明するための図である。
【図８】顔画像検出により画像選択を行う動作を説明するフローチャートである。
【図９】従来のマルチ画面表示機能について説明するための図である。
【符号の説明】
【００６６】
１１…メインＣＰＵ（ＭＰＵ）、１１ａ、１１ｂ、１１ｃ…スイッチ、１２…画像処理部、１３…位置検出部、１４…時計部、１５…ＲＯＭ、１８…アナログフロントエンド部（ＡＦＥ）、１９…ＲＡＭ、２０…メモリ、２１…表示部、２２…撮像素子、２３…撮影レンズ、２５、３２…被写体、３０…画面、３２ａ…顔、４０ａ〜４０ｌ…コマ。
【図１】
2007142565.tif 000003
【図２】
2007142565.tif 000004
【図３】
2007142565.tif 000005
【図４】
2007142565.tif 000006
【図５】
2007142565.tif 000007
【図６】
2007142565.tif 000008
【図７】
2007142565.tif 000009
【図８】
2007142565.tif 000010
【図９】
2007142565.tif 000011